Podtech/llm-jp-corpus-v4-ja_patent huggingface dataset:
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
少なくとも一端が外面に開口した中空筒状の弁体取付穴が設けられたハウジングと、
該ハウジングの弁体取付穴に開口して設けられ外部から油が流入する流入部および流入した油が外部へ流出する流出部と、
前記ハウジングの弁体取付穴に取付けられ内側が油室となった中空形状の弁体と、
前記ハウジングの弁体取付穴の開口側に取付けられ前記弁体を前記ハウジングに押付けるプラグとを備えてなる絞り弁において、
前記弁体は、軸線方向の少なくとも一端が前記プラグにより閉塞される開口端となった筒状体として形成され、
前記弁体には、前記ハウジングの流入部と前記油室とを連通し該油室に流入する油を絞る１個または複数個の絞り孔と、該絞り孔に対し前記弁体の軸線方向に離間して配置され前記ハウジングの流出部と前記油室とを連通する１個または複数個の連通孔とを設け、
前記絞り孔の合計油路断面積をＡとし、前記油室の最小油路断面積をＢとした場合に、Ａ＜Ｂに設定したことを特徴とする絞り弁。
【請求項２】
前記ハウジングの前記流入部は、前記弁体取付穴の内周面の全周にわたって径方向外側に向けて凹入する流入側環状溝を有し、
前記絞り孔は、前記弁体に対し複数個設けられ、
該各絞り孔は、前記弁体の軸線を中心として対称に配置してなる請求項１に記載の絞り弁。
【請求項３】
前記弁体は、断面が円形の筒状に形成され、
前記絞り孔は、前記弁体に対し複数個設けられ、
該各絞り孔は、その軸線が前記弁体の軸線と交わらず、かつ、前記弁体の周方向に等間隔に配置してなる請求項１または２に記載の絞り弁。
【請求項４】
前記弁体は、断面が円形の筒状に形成され、
前記絞り孔は、前記弁体に対し１個設けられ、
該絞り孔は、その軸線が前記弁体の軸線と交わらず、かつ、前記弁体の内周面の接線方向に配置してなる請求項１に記載の絞り弁。
【請求項５】
前記弁体の軸線方向で前記連通孔に近い側の前記油室の端部と前記連通孔との間の距離をＤとし、前記油室の最小断面積の部位での最大内接円の半径をＥとした場合に、Ｄ≧Ｅに設定してなる請求項１，２，３または４に記載の絞り弁。
【請求項６】
前記弁体および／または前記プラグは、硬質部材により形成し、または、表面に硬化処理を施してなる請求項１，２，３，４または５に記載の絞り弁。
【請求項７】
前記油室は、前記絞り孔と該絞り孔に近い側の前記油室の端部との間に位置して所定の軸方向長さを有する絞り側油室と、前記絞り孔と前記連通孔との間に位置して所定の軸方向長さを有する中間油室と、前記連通孔と該連通孔に近い側の前記油室の端部との間に位置して所定の軸方向長さを有する連通側油室との合計３つの油室を備える構成としてなる請求項１，２，３，４，５または６に記載の絞り弁。
【手続補正２】
【補正対象書類名】明細書
【補正対象項目名】００１０
【補正方法】変更
【補正の内容】
【００１０】
上述した課題を解決するために、本発明が採用する構成の特徴は、前記弁体は、軸線方向の少なくとも一端が前記プラグにより閉塞される開口端となった筒状体として形成され、前記弁体には、前記ハウジングの流入部と前記油室とを連通し該油室に流入する油を絞る１個または複数個の絞り孔と、該絞り孔に対し前記弁体の軸線方向に離間して配置され前記ハウジングの流出部と前記油室とを連通する１個または複数個の連通孔とを設け、前記絞り孔の合計油路断面積をＡとし、前記油室の最小油路断面積をＢとした場合に、Ａ＜Ｂに設定したことにある。
【手続補正書】
【提出日】平成29年6月15日(2017.6.15)
【手続補正１】
【補正対象書類名】特許請求の範囲
【補正対象項目名】請求項８
【補正方法】変更
【補正の内容】
【請求項８】
前記制御手段は前記絶対値を表す生体信号と値の変化が近似する生体信号の表示倍率を、振幅方向にのみ変更することを特徴とする請求項７記載の生体信号処理装置。
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
被検体に光を照射する照射部と、
前記被検体から伝播する音響波を検出して電気信号を出力する複数の検出素子と、
前記電気信号を用いて前記被検体内の特性情報を取得する処理部と、
前記複数の検出素子を支持する支持体と、
前記被検体に対する関心領域に関する情報の入力を受け付け可能な入力部と、
前記関心領域を表す所定の形状を表示部に表示させる表示制御部と、
前記関心領域に基づいて走査領域を設定する走査領域設定部と、
前記支持体を前記走査領域において移動させる走査部と、
を有し、
前記表示制御部は、前記入力部から入力された前記関心領域に関する情報に基づき、装置固有の特徴量を前記表示部に表示させる前記関心領域を拡大または縮小する変更幅の単位とし、前記表示部に表示された前記関心領域を拡大または縮小させる
ことを特徴とする被検体情報取得装置。
【請求項２】
前記入力部は、前記表示部に表示された前記関心領域に基づいて前記走査領域を設定することの指示を受け付け、
前記走査領域設定部は、前記入力部から入力された前記走査領域を設定することの指示を受けると、前記表示部に表示された前記関心領域に基づいて前記走査領域を設定する
ことを特徴とする請求項１に記載の被検体情報取得装置。
【請求項３】
前記表示制御部は、前記走査領域設定部により設定された前記走査領域を前記表示部に表示させる
ことを特徴とする請求項１または２に記載の被検体情報取得装置。
【請求項４】
前記装置固有の特徴量は、前記走査部が前記支持体を移動させるとき所定方向の単位長である
ことを特徴とする請求項１ないし３のいずれか１項に記載の被検体情報取得装置。
【請求項５】
前記走査部は、前記支持体を渦巻状に移動させるものであり、
前記装置固有の特徴量は、前記渦巻きの各周の間隔である
ことを特徴とする請求項１ないし４のいずれか１項に記載の被検体情報取得装置。
【請求項６】
前記関心領域は、前記特性情報を取得する対象となる三次元の領域である
ことを特徴とする請求項１ないし５のいずれか１項に記載の被検体情報取得装置。
【請求項７】
前記関心領域を表す前記所定の形状は、円柱状である
ことを特徴とする請求項６に記載の被検体情報取得装置。
【請求項８】
前記入力部は、前記所定の形状の大きさに対する増減の指定を受け付けることができることを特徴とする請求項１ないし７のいずれか１項に記載の被検体情報取得装置。
【請求項９】
前記入力部は、前記所定の形状の移動の指定を受け付けることができる
ことを特徴とする請求項１ないし７のいずれか１項に記載の被検体情報取得装置。
【請求項１０】
前記所定の形状は三次元形状である
ことを特徴とする請求項１ないし９のいずれか１項に記載の被検体情報取得装置。
【請求項１１】
前記表示制御部は、前記関心領域の大きさを段階的に変更する
ことを特徴とする請求項１ないし１０のいずれか１項に記載の被検体情報取得装置。
【請求項１２】
前記支持体は、前記複数の検出素子の少なくとも一部の検出素子の指向軸が集まるように前記複数の検出素子を支持する
ことを特徴とする請求項１ないし１１のいずれか１項に記載の被検体情報取得装置。
【請求項１３】
前記走査領域設定部は、前記複数の検出素子の指向軸が集まる高感度領域が前記関心領域に含まれるように、前記走査領域を設定する
ことを特徴とする請求項１２に記載の被検体情報取得装置。
【請求項１４】
前記走査部は、前記支持体を渦巻状に移動させるものであり、
前記関心領域を表す前記所定の形状は、前記高感度領域の軌跡の集合体の形状である
ことを特徴とする請求項１３に記載の被検体情報取得装置。
【請求項１５】
前記表示部をさらに有する
ことを特徴とする請求項１ないし１４のいずれか１項に記載の被検体情報取得装置。
【請求項１６】
発生した光が前記照射部に導かれる光源をさらに有する
ことを特徴とする請求項１ないし１５のいずれか１項に記載の被検体情報取得装置。
【手続補正２】
【補正対象書類名】明細書
【補正対象項目名】０００７
【補正方法】変更
【補正の内容】
【０００７】
本発明は、以下の構成を採用する。すなわち、
被検体に光を照射する照射部と、
前記被検体から伝播する音響波を検出して電気信号を出力する複数の検出素子と、
前記電気信号を用いて前記被検体内の特性情報を取得する処理部と、
前記複数の検出素子を支持する支持体と、
前記被検体に対する関心領域に関する情報の入力を受け付け可能な入力部と、
前記関心領域を表す所定の形状を表示部に表示させる表示制御部と、
前記関心領域に基づいて走査領域を設定する走査領域設定部と、
前記支持体を前記走査領域において移動させる走査部と、
を有し、
前記表示制御部は、前記入力部から入力された前記関心領域に関する情報に基づき、装置固有の特徴量を前記表示部に表示させる前記関心領域を拡大または縮小する変更幅の単位とし、前記表示部に表示された前記関心領域を拡大または縮小させる
ことを特徴とする被検体情報取得装置である。
【手続補正３】
【補正対象書類名】明細書
【補正対象項目名】００４３
【補正方法】変更
【補正の内容】
【００４３】
図５は、螺旋軌道における関心領域のＸＹ面での断面形状Ｃ１を示す図である。円Ｃ１は、螺旋軌道の１周外の外周までに形成される高感度領域Ｇの軌跡の集合体に対して内接する円である。図中、点線が螺旋軌道を示し、一点鎖線は、螺旋軌道上において等間隔ピッチで測定を行った際に形成される、各測定位置における高感度領域Ｇである。Ｐ１は最内周のサンプリングポイント１点目で、Ｐ１から螺旋軌道１周目に当たるサンプリングポイントがＰ２である。このとき、螺旋軌道１周で形成される高感度領域Ｇの集合体に内接するよう円Ｃ１が設定される。螺旋軌道が１周増える度に、同じ要領で不図示の円Ｃ２、Ｃ３と設定していくと、１０ｍｍピッチで拡大していく同心円が得られる。
【手続補正書】
【提出日】平成29年5月29日(2017.5.29)
【手続補正１】
【補正対象書類名】明細書
【補正対象項目名】００３６
【補正方法】変更
【補正の内容】
【００３６】
撮像部６２は、第１関節部５１の内部まで入り込んでいる。図３では、筒状部６１および第１関節部５１の中空部に設置される光学系６２１および撮像素子６２２を破線で模式的に示している。また、図３では、顕微鏡部６のうち第１関節部５１の内部に入り込んで第１関節部５１に対して筒状部６１とともに回動する部分を１点鎖線で模式的に示している。
【手続補正２】
【補正対象書類名】明細書
【補正対象項目名】００６４
【補正方法】変更
【補正の内容】
【００６４】
なお、本実施の形態３において、変倍スイッチ６４および焦点距離変更スイッチ６５等、筒状部６１に設けられる他のスイッチに対して入力部カバーを設けてもよい。さらに、筒状部６１の断面が円形状ではなく、一部を異形状としたり、筒状部６１の外周に部分的に凸部を設けたりすることで、取付部８２が筒状部６１に対して回転してしまうのをより抑えることができるとともに、取付部８２を筒状部６１に装着する際の位置決めが容易となる。
【手続補正３】
【補正対象書類名】明細書
【補正対象項目名】００７６
【補正方法】変更
【補正の内容】
【００７６】
さらに、本実施の形態４によれば、取付部１０２は、顕微鏡部６へ取り付ける前の状態で薄い帯状をなしているため、かさばらず、変形により顕微鏡部６への取付が困難になるなどの不具合も起こりえない。したがって、滅菌ドレープ１０は、出荷する際に梱包しやすい上、梱包材への収納効率にも優れており、安価で経済的である。
【手続補正４】
【補正対象書類名】明細書
【補正対象項目名】００７７
【補正方法】変更
【補正の内容】
【００７７】
なお、本実施の形態４において、筒状部６１の断面が円形状ではなく、一部を異形状としたり、筒状部６１の外周に部分的に凸部を設けたりすることで、取付部１０２が筒状部６１に対して回転してしまうのをより抑えることができるとともに、取付部１０２を筒状部６１に装着する際の位置決めが容易となる。このように筒状部６１の形状が異形状であっても、取付部１０２を筒状部６１に巻き付けて装着するため、取付部１０２を筒状部６１に対して容易にフィットさせることができる。
【手続補正５】
【補正対象書類名】明細書
【補正対象項目名】００７９
【補正方法】変更
【補正の内容】
【００７９】
滅菌ドレープ１３は、顕微鏡部６の先端に固定して取り付けられ、筒状部６１に対する滑りを防止する機能を有する取付部１３１を有する。取付部１３１は、顕微鏡部６の外径より小さい径の円筒状をなす弾性部材からなる筒状部１３２と、筒状部１３２の高さ方向の端部であって顕微鏡部６の先端に対応する端部に設けられ、顕微鏡部６が被観察体からの光を集光する開口面を保護するカバーガラス１３３とを有する。取付部１３１は、実施の形態１の取付部１２と同様の弾性部材を用いて構成され、外部から接触する物体の滑りを防止する機能を有する。
【手続補正６】
【補正対象書類名】明細書
【補正対象項目名】００８４
【補正方法】変更
【補正の内容】
【００８４】
取付部１４１は、顕微鏡部６の外径より小さい径の円筒状をなす弾性部材からなる筒状部１４２と、筒状部１４２の高さ方向の端部であって顕微鏡部６の先端に対応する端部に設けられ、顕微鏡部６の開口面を保護するカバーガラス１４３とを有する。
【手続補正７】
【補正対象書類名】特許請求の範囲
【補正対象項目名】請求項１２
【補正方法】変更
【補正の内容】
【請求項１２】
前記医療用観察装置は、
前記顕微鏡部が柱状をなして前記グリップ部としての機能を有し、
２つのアーム部および該２つのアーム部の一方を他方に対して回動可能に連結する関節部からなる組を少なくとも一組有し、先端部で前記顕微鏡部を該顕微鏡部の高さ方向の軸のまわりに回動可能に支持する支持部と、
前記顕微鏡部の側面であって撮像信号に基づく画像の上方に対応する側面に設けられ、前記アーム部の回動を許容する操作入力を受け付けるアーム操作スイッチと、
を備え、
前記入力部は、前記アーム操作スイッチを含むことを特徴とする請求項１〜１１のいずれか一項に記載の滅菌ドレープ。
【手続補正書】
【提出日】平成29年6月7日(2017.6.7)
【手続補正１】
【補正対象書類名】明細書
【補正対象項目名】０００２
【補正方法】変更
【補正の内容】
【０００２】
生体光計測装置は、生体からの透過光を利用して、生体内部の血液循環、血行動態、及びヘモグロビン量変化などの血液動態を非侵襲で計測する。一般的な生体光計測装置では、被検体に課題を与え、課題の施行中に生じる大脳皮質の活性化状態（脳活動成分）を計測波形により計測する。例えば、被検体が指を動かした際に脳の運動野領域のヘモグロビン量変化が生じることが報告されている。
【手続補正２】
【補正対象書類名】明細書
【補正対象項目名】０００６
【補正方法】変更
【補正の内容】
【０００６】
操作者が被検体の挙動を観察する場合、被検体の挙動が微小で且つ被検体の挙動による計測波形の変動が微小であるときは、真に体動ノイズであるか否かを判断することは困難である。また、操作者の主観により、真に体動ノイズであるか否かに関して判断にバラツキが生じるおそれがある。
そこで、本発明は、被検体の挙動を客観的且つ正確に把握することで、被検体の挙動に対応する計測波形を特徴波形として検出する生体光計測装置を提供する。
【手続補正３】
【補正対象書類名】明細書
【補正対象項目名】０００９
【補正方法】変更
【補正の内容】
【０００９】
本発明は、被検体の挙動に対応する計測波形を特徴波形として検出する生体光計測装置を提供する。
【手続補正４】
【補正対象書類名】明細書
【補正対象項目名】００１０
【補正方法】変更
【補正の内容】
【００１０】
【図１】本実施の形態に係る生体光計測装置の一例を示した図である。
【図２】本実施の形態に係る生体光計測装置の処理を説明するフロー図である。
【図３】（ａ）被検体の動態に関する波形が計測されている状態の一例を示した図である。（ｂ）動態波形が表示部に表示されている状態の一例を示した図である。
【図４】挙動波形が表示部に表示されている状態の一例を示した図である。
【図５】警告部の警告の一例を示した図である。
【図６】（ａ）被検体の挙動（体動）が微小である場合の挙動波形の一例を示した図である。（ｂ）被検体の挙動（体動）が所定の量を超えた場合の挙動波形の一例を示した図である。
【図７】（ａ）画素の数又は画素値の積算値を挙動の変化量とする一例を示した図である。（ｂ）重心位置の動きを挙動の変化量とする一例を示した図である。
【図８】マーカーにより観察部位の大きさ及び観察部位の挙動の大きさを算出する例を示した図である。
【図９】（ａ）矩形片の両端部に円形のマークが備えられたマーカーの一例を示した図である。（ｂ）三角片の頂点部に円形のマークが備えられたマーカーの一例を示した図である。
【手続補正５】
【補正対象書類名】明細書
【補正対象項目名】００２７
【補正方法】変更
【補正の内容】
【００２７】
また、課題区間において、課題に対応する所定の動態波形Ｗ２を適切に計測するためには、ノイズ波形が動態波形Ｗ２に混入しないことが望ましい。与えられた課題（発話、筆記、読文、運動など）以外の動作を被検者が行うと、この動作がノイズ波形の原因となる。例えば、発話中に被検者の頭が必要以上に動くと、被検者の血流状態が変化して、ノイズ波形の原因となる。例えば、特定部１４１により被検者（被検体）の頭が観察部位として特定された場合、挙動識別部１４３は、頭（観察部位）の位置、速度、及び移動距離を算出し、これらの値が所定の閾値を超えれば、被検者（被検体）は動作状態であると識別する。被検者（被検体）が動作状態であれば、図３（ｃ）に示すように、所定の範囲内に収まらない動態波形（オーバーレンジ波形）Ｗ３が現れる。なお、この場合、ノイズ波形の原因となる動作が止まれば、動態波形は適切なレベルに戻る。被検者が頭を必要以上に傾けた後に元の位置に戻した場合、このような波形Ｗ３が現れる。
【手続補正６】
【補正対象書類名】図面
【補正対象項目名】図１
【補正方法】変更
【補正の内容】
【図１】
2016007300.tif 000001
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
血流に応じて変化する皮膚の輝度を撮影して時系列輝度データを取得する時系列輝度データ取得部と、
画像表示をする画像表示部と、
前記時系列輝度データからＲＲ間隔時系列データを検出するＲＲ間隔時系列データ検出処理部と、
前記ＲＲ間隔時系列データをフーリエ変換するフーリエ変換処理部と、
前記フーリエ変換処理された信号の高周波成分と低周波成分とを分離する高周波成分・低周波成分検出処理部と、
前記低周波成分と予め測定したくつろいだ穏やかな平常心における興奮状態の低周波成分である基準低周波成分との大きさの違いに基づいて興奮度を求める興奮度検出部と、を備える、
興奮度検出装置。
【請求項２】
前記時系列輝度データの値が連続して同値である場合には、予め定める所定複数回数以上の前記時系列輝度データを処理の対象から除く前倒しロジック処理部を備える、請求項１に記載の興奮度検出装置。
【請求項３】
血流に応じて変化する皮膚の輝度を撮影して時系列輝度データを取得する時系列輝度データ取得部と、画像表示をする画像表示部とを有する興奮度検出装置のコンピュータに実行させる興奮度検出装置プログラムであって、
前記時系列輝度データからＲＲ間隔時系列データを検出するＲＲ間隔時系列データ検出処理部と、
前記ＲＲ間隔時系列データをフーリエ変換するフーリエ変換処理部と、
前記フーリエ変換処理された信号の高周波成分と低周波成分とを分離する高周波成分・低周波成分検出処理部と、
前記低周波成分とくつろいだ穏やかな平常心における興奮状態の低周波成分である予め測定した基準低周波成分との大きさの違いに基づいて興奮度を求める興奮度検出部と、を備えるように前記コンピュータを機能させる、
興奮度検出装置プログラム。
【請求項４】
興奮度検出端末装置と興奮度検出サーバー装置とを備える興奮度検出システムであって、
前記興奮度検出端末装置は、
血流に応じて変化する皮膚の輝度を撮影して時系列輝度データを取得する時系列輝度データ取得部と、
前記皮膚の輝度に応じた時系列輝度データを興奮度検出サーバー装置に対して出力する時系列輝度データ出力処理部と、
前記サーバーから出力される興奮度を表示する画像表示部と、を具備し、
前記興奮度検出サーバー装置は、
前記時系列輝度データからＲＲ間隔時系列データを検出するＲＲ間隔時系列データ検出処理部と、
前記ＲＲ間隔時系列データをフーリエ変換するフーリエ変換処理部と、
前記フーリエ変換処理された信号の高周波成分と低周波成分とを分離する高周波成分・低周波成分検出処理部と、
前記低周波成分と予め測定したくつろいだ穏やかな平常心における興奮状態の低周波成分である基準低周波成分との差に基づいて前記興奮度を求める興奮度検出部と、を具備する、
興奮度検出システム。
【請求項５】
興奮度検出システムにおいて興奮度検出端末装置と協調して動作する興奮度検出サーバー装置であって、
血流に応じて変化する皮膚の輝度を前記興奮度検出端末装置において撮影して得られる時系列輝度データからＲＲ間隔時系列データを検出するＲＲ間隔時系列データ検出処理部と、
前記ＲＲ間隔時系列データをフーリエ変換するフーリエ変換処理部と、
前記フーリエ変換処理された信号の高周波成分と低周波成分とを分離する高周波成分・低周波成分検出処理部と、
前記低周波成分と予め測定したくつろいだ穏やかな平常心における興奮状態の低周波成分である基準低周波成分との大きさの違いに基づいて興奮度を求める興奮度検出部と、を備える、
興奮度検出サーバー装置。
【請求項６】
興奮度検出システムにおいて興奮度検出端末装置と協調して動作する興奮度検出サーバー装置のコンピュータに実行させる興奮度検出サーバー装置プログラムであって、
血流に応じて変化する皮膚の輝度を前記興奮度検出端末装置において撮影して得られる時系列輝度データからＲＲ間隔時系列データを検出するＲＲ間隔時系列データ検出処理部と、
前記ＲＲ間隔時系列データをフーリエ変換するフーリエ変換処理部と、
前記フーリエ変換処理された信号の高周波成分と低周波成分とを分離する高周波成分・低周波成分検出処理部と、
前記低周波成分と予め測定したくつろいだ穏やかな平常心における興奮状態の低周波成分である基準低周波成分との大きさの違いに基づいて興奮度を求める興奮度検出部と、を備えるように前記コンピュータを機能させる、
興奮度検出サーバー装置プログラム。
【請求項７】
前記時系列輝度データ取得部は、
撮影された画像のＲ（赤色）、Ｇ（緑色）、Ｂ（青色）に分離される各成分の割合から肌色を含むことを判断するとともに前記肌色の部分の前記画像に占める割合を検出して予め定める所定割合以上であることを検出した後、または／および、前記時系列輝度データが略一定の周期を有する繰り返し波形であるとともにエンベロープが略一定であることを検出した後に、前記時系列輝度データの取得を開始する、
請求項１または請求項２に記載の興奮度検出装置。
【請求項８】
前記時系列輝度データ取得部においては、
撮影された画像のＲ（赤色）、Ｇ（緑色）、Ｂ（青色）に分離される各成分の割合から肌色を含むことを判断するとともに前記肌色の部分の前記画像に占める割合を検出して予め定める所定割合以上であることを検出した後、または／および、前記時系列輝度データが略一定の周期を有する繰り返し波形であるとともにエンベロープが略一定であることを検出した後に、前記時系列輝度データの取得を開始する、ように前記コンピュータを機能させる、
請求項３に記載の興奮度検出装置プログラム。
【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
被検体を透過したＸ線を検出することで時系列的な複数のＸ線画像の投影データを生成する撮像動作を実行するＸ線診断装置であって、
前記被検体内への血管治療具の留置前の前記撮像動作で生成される時系列的な複数の留置前Ｘ線画像の投影データを取得することで、前記被検体の血管内に挿入された計測装置の位置を前記複数の留置前Ｘ線画像からそれぞれ検出後、前記血管治療具の留置後の前記撮像動作で生成される時系列的な複数の留置後Ｘ線画像の投影データをリアルタイムで取得することで、前記計測装置の位置を前記複数の留置後Ｘ線画像からそれぞれ検出する位置検出部と、
前記位置検出部により検出された前記計測装置の各位置に基づいて、前記複数の留置前Ｘ線画像と、前記複数の留置後Ｘ線画像とに対して、前記計測装置の位置変化の周期をそれぞれ検出する周期検出部と、
前記計測装置の位置変化の周期に基づいて、前記複数の留置後Ｘ線画像に対してそれぞれ、前記計測装置の位置変化の位相が近い前記留置前Ｘ線画像を対応づける位相照合処理を実行する位相照合部と、
前記位相照合処理の結果に基づいて、前記複数の留置後Ｘ線画像に対してそれぞれ、前記位相が近い前記留置前Ｘ線画像における前記計測装置の位置情報を重畳しつつ、前記複数の留置後Ｘ線画像を表示する表示部と
を備えることを特徴とするＸ線診断装置。
【請求項２】
前記位置検出部は、
前記時系列的な複数の留置前Ｘ線画像の投影データをリアルタイムで取得することで、前記被検体の血管内に挿入された前記計測装置の位置を前記複数の留置前Ｘ線画像からそれぞれリアルタイムで検出する、
請求項１記載のＸ線診断装置。
【請求項３】
被検体を透過したＸ線を検出することで時系列的な複数のＸ線画像の投影データを生成する撮像動作を実行するＸ線診断装置であって、
過去の前記撮像動作で生成及び保存された時系列的な複数の過去Ｘ線画像の投影データを取得すると共に、リアルタイムで実行中の前記撮像動作で生成される時系列的な複数のリアルタイムＸ線画像の投影データを取得することで、前記複数の過去Ｘ線画像及び前記複数のリアルタイムＸ線画像から、前記被検体の血管内に挿入された計測装置の位置をそれぞれ検出する位置検出部と、
前記位置検出部により検出された前記計測装置の各位置に基づいて、前記複数の過去Ｘ線画像と、前記複数のリアルタイムＸ線画像とに対して、前記計測装置の位置変化の周期をそれぞれ検出する周期検出部と、
前記計測装置の位置変化の周期に基づいて、前記複数のリアルタイムＸ線画像に対してそれぞれ、前記計測装置の位置変化の位相が最も近い前記過去Ｘ線画像を対応づける位相照合処理を実行する位相照合部と、
前記位相照合処理の結果に基づいて、前記複数のリアルタイムＸ線画像に対してそれぞれ、前記位相が最も近い前記過去Ｘ線画像における前記計測装置の位置情報を重畳しつつ、前記複数のリアルタイムＸ線画像を表示する表示部と
を備えることを特徴とするＸ線診断装置。
【請求項４】
請求項１ないし３のいずれか１項に記載のＸ線診断装置において、
前記周期検出部は、
連続する２つのＸ線画像間での前記計測装置の位置変化量を検出し、
撮像時刻が次のＸ線画像との間の前記位置変化量が極小値となる任意のＸ線画像を第１基準Ｘ線画像として特定し、
前記第１基準Ｘ線画像の次に前記位置変化量が極小値となると共に、撮像時刻が前後のＸ線画像よりも、前記計測装置の位置が前記第１基準Ｘ線画像における前記計測装置の位置に近い第２基準Ｘ線画像を特定し、
前記第１基準Ｘ線画像から、前記第２基準Ｘ線画像よりも撮像時刻が１つ前のＸ線画像までを、前記計測装置の位置変化の１周期のＸ線画像群として検出する
ことを特徴とするＸ線診断装置。
【請求項５】
被検体を透過したＸ線を検出することで時系列的な複数のＸ線画像の投影データを生成する撮像動作を実行するＸ線診断装置であって、
前記被検体内への血管治療具の留置前の前記撮像動作で生成及び保存された時系列的な複数の留置前Ｘ線画像の投影データを取得し、前記複数の留置前Ｘ線画像を表示する表示部と、
前記血管治療具の留置後の前記撮像動作で生成される時系列的な複数の留置後Ｘ線画像の投影データを取得することで、前記被検体の血管内に挿入された計測装置の位置を前記複数の留置後Ｘ線画像からそれぞれリアルタイムで検出する位置検出部と、
前記複数の留置前Ｘ線画像内での前記計測装置の位置変化の周期に関する入力情報を前記複数の留置前Ｘ線画像を表示開始後に取得し、前記入力情報に基づいて前記複数の留置前Ｘ線画像に対して前記計測装置の位置変化の周期を決定後、前記位置検出部により検出された前記計測装置の位置に基づいて、前記複数の留置後Ｘ線画像に対して前記計測装置の位置変化の周期を検出する周期検出部と、
前記計測装置の位置変化の周期に基づいて、前記複数の留置後Ｘ線画像に対してそれぞれ、前記計測装置の位置変化の位相が最も近い前記留置前Ｘ線画像を対応づける位相照合処理を実行する位相照合部と
を備え、
前記表示部は、前記位相照合処理の結果に基づいて、前記複数の留置後Ｘ線画像に対してそれぞれ、前記位相が最も近い前記留置前Ｘ線画像における前記計測装置の位置情報を重畳しつつ、前記複数の留置後Ｘ線画像を表示する
ことを特徴とするＸ線診断装置。
【請求項６】
請求項１ないし５のいずれか１項に記載のＸ線診断装置において、
前記血管治療具の留置前の前記撮像動作の実行中に、前記血管治療具の留置箇所を挟む第１地点及び第２地点で前記計測装置により血圧がそれぞれ測定された場合、
前記周期検出部は、前記第１地点での血圧測定時の時系列的な複数の留置前Ｘ線画像である第１Ｘ線画像群に対して前記計測装置の位置変化の第１周期を検出すると共に、前記第２地点での血圧測定時の時系列的な複数の留置前Ｘ線画像である第２Ｘ線画像群に対して前記計測装置の位置変化の第２周期を検出し、
前記位相照合部は、前記第１周期及び前記第２周期に基づく前記位相照合処理として、前記複数の留置後Ｘ線画像に対してそれぞれ、前記第１Ｘ線画像群の中で位相が最も近い前記留置前Ｘ線画像を対応づけると共に、前記第２Ｘ線画像群の中で位相が最も近い前記留置前Ｘ線画像を対応づけ、
前記表示部は、前記複数の留置後Ｘ線画像を表示に際して、前記第１Ｘ線画像群の中で位相が最も近い前記留置前Ｘ線画像における前記計測装置の位置情報と、前記第２Ｘ線画像群の中で位相が最も近い前記留置前Ｘ線画像における前記計測装置の位置情報とを重畳する
ことを特徴とするＸ線診断装置。
【請求項７】
請求項１ないし６のいずれか１項に記載のＸ線診断装置において、
前記位置検出部は、前記計測装置として、血圧を測定するデバイスの位置を検出する
ことを特徴とするＸ線診断装置。
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
被検者眼の瞳孔と共役となる位置を通過する眼底からの光束を制限する撮像絞り部を、対物レンズと撮像素子との間に配置して、前記対物レンズと前記撮像絞り部とを介して被検者眼の眼底像を前記撮像素子で撮像する撮像光学系と、
第１光源を有し、前記第１光源が出射する第１の波長の光であり、かつ被検者眼の瞳孔を通過する光束が制限された前記第１の波長の光を自発蛍光励起光として，前記対物レンズを介して被検者眼に投光する第１投光光学系と、
前記撮像光学系と前記第１投光光学系とで少なくとも一部の光路を共用するための第１光路合成部と、
を備え、
前記撮像光学系の、前記対物レンズと，前記対物レンズを介して被験者眼の瞳孔と共役となる共役位置と，の間に前記第１光路合成部を設けたことを特徴とする眼科装置。
【請求項２】
請求項１に記載の眼科装置は、
第２光源を有し、前記第２光源が発した光を用いて前記第１の波長とは異なる第２の波長の光で被検者眼の眼底に投光する第２投光光学系を備え、
前記第２投光光学系は、前記第１投光光学系とは異なる方向から、前記第１光路合成部によって前記撮像光学系と前記第１投光光学系とで少なくとも一部の光路が共用される共用光路に向けて進み、前記第２光源の光を前記共用光路と前記対物レンズとを介して被験者眼の眼底に投光する、
ことを特徴とする眼科装置。
【請求項３】
請求項２に記載の眼科装置は、
前記撮像光学系と前記第２投光光学系との少なくとも一部の光路を共用するための第２光路合成部であって、前記対物レンズを介して被検者眼の瞳孔と共役となる位置に設けられる第２光路合成部を備え、
前記第２投光光学系は、前記第２光路合成部と前記第２光源との間に、前記第２光源が発した光の被検者眼の角膜を透過する光束を制限する第３光束制限部を備える、
ことを特徴とする眼科装置。
【請求項４】
請求項１〜３のいずれか１項に記載の眼科装置であって、
前記撮像光学系の、前記対物レンズと，前記対物レンズを介して被験者眼の水晶体後面と共役となる共役位置と，の間に前記第１光路合成部を設け、
前記第１投光光学系は更に、前記第１光源と前記第１光路合成部との間に設けられ、前記第１光源が発した光の光束を制限する第１光束制限部を備える、ことを特徴とする眼科装置。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
複数の図柄が描かれた複数の回胴を回転させる図柄表示ゲームで、各々の回胴に対応して設けられた停止スイッチの操作により回転する回胴を個々に停止させ、表示窓に複数の図柄を表示する遊技機において、
前記図柄表示ゲームは、通常ゲームと、
前記通常ゲームより有利な有利ゲームがあり、
前記図柄表示ゲームにおいて、前記停止スイッチが操作されると、該操作に応じて抽選を行うことが可能な抽選手段と、
前記抽選の結果が移行条件を満たしたことを契機に、前記通常ゲームから前記有利ゲームへ移行させる移行手段と、
を具備することを特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成するために、複数の図柄が描かれた複数の回胴を回転させる図柄表示ゲームで、各々の回胴に対応して設けられた停止スイッチの操作により回転する回胴を個々に停止させ、表示窓に複数の図柄を表示する遊技機において、前記図柄表示ゲームは、通常ゲームと、前記通常ゲームより有利な有利ゲームがあり、前記図柄表示ゲームにおいて、前記停止スイッチが操作されると、該操作に応じて抽選を行うことが可能な抽選手段と、前記抽選の結果が移行条件を満たしたことを契機に、前記通常ゲームから前記有利ゲームへ移行させる移行手段とを具備することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
利用者に装着されて使用される動作情報測定装置であって、
前記利用者の動きに応じた情報を検出する検出部と、
前記利用者が睡眠状態か否かを判定する睡眠状態判定部と、
前記睡眠状態判定部により前記利用者が睡眠状態であると判定された後に前記利用者が移動を始めたタイミングを、前記検出部によって検出される情報に基づいて検知するタイミング検知部と、
前記タイミングに同期して前記利用者に音、光、又は、振動により報知を行う報知部と、を備える動作情報測定装置。
【請求項２】
請求項１記載の動作情報測定装置であって、
前記睡眠状態判定部は、前記検出部により検出される情報に基づいて前記利用者が睡眠状態か否かを判定し、
前記タイミング検知部は、前記検出部によって検出される情報に基づく前記利用者の活動度が、前記睡眠状態であると判定された期間における値よりも閾値以上大きい値に変化し、かつ、前記変化した時点における時刻が既定時刻に達している場合に、前記利用者が移動を始めたと判定する動作情報測定装置。
【請求項３】
請求項２記載の動作情報測定装置であって、
前記タイミング検知部によって検知された前記タイミングにおける時刻の履歴によって前記既定時刻を決める時刻決定部を更に備える動作情報測定装置。
【請求項４】
請求項２又は３記載の動作情報測定装置であって、
前記睡眠状態であると判定されたときの前記利用者の睡眠期間に関するデータを記憶する記憶部を更に備え、
前記タイミング検知部は、前記睡眠状態判定部によって睡眠状態か否かの判定ができない場合に、前記記憶部に記憶されているデータに基づく過去の起床時刻以降に前記利用者が移動したタイミングを前記検出部により検出される情報に基づいて検知し、当該タイミングを、前記利用者が睡眠状態になった後に移動を始めたタイミングとして検知する動作情報測定装置。
【請求項５】
利用者に装着されて使用され、前記利用者の動きに応じた情報を検出する検出部を有する動作情報測定装置が、前記利用者が睡眠状態か否かを判定するステップと、
前記動作情報測定装置が、前記利用者が睡眠状態であると判定した後に前記利用者が移動を始めたタイミングを前記検出部により検出される情報に基づいて検知するステップと、
前記動作情報測定装置が、前記検知されたタイミングに同期して前記利用者に音、光、又は、振動により報知を行うステップと、を備える動作情報測定装置の装着し忘れ防止支援方法。
【請求項６】
請求項５記載の装着し忘れ防止支援方法の各ステップをコンピュータに実行させるための装着し忘れ防止支援プログラム。
【手続補正２】
【補正対象書類名】明細書
【補正対象項目名】００１２
【補正方法】変更
【補正の内容】
【００１２】
本発明の動作情報測定装置は、利用者に装着されて使用される動作情報測定装置であって、前記利用者の動きに応じた情報を検出する検出部と、前記利用者が睡眠状態か否かを判定する睡眠状態判定部と、前記睡眠状態判定部により前記利用者が睡眠状態であると判定された後に前記利用者が移動を始めたタイミングを、前記検出部によって検出される情報に基づいて検知するタイミング検知部と、前記タイミングに同期して前記利用者に音、光、又は、振動により報知を行う報知部と、を備えるものである。
【手続補正３】
【補正対象書類名】明細書
【補正対象項目名】００１３
【補正方法】変更
【補正の内容】
【００１３】
本発明の動作情報測定装置の装着し忘れ防止支援方法は、利用者に装着されて使用され、前記利用者の動きに応じた情報を検出する検出部を有する動作情報測定装置が、前記利用者が睡眠状態か否かを判定するステップと、前記動作情報測定装置が、前記利用者が睡眠状態であると判定した後に前記利用者が移動を始めたタイミングを前記検出部により検出される情報に基づいて検知するステップと、前記動作情報測定装置が、前記検知されたタイミングに同期して前記利用者に音、光、又は、振動により報知を行うステップと、を備えるものである。
【手続補正４】
【補正対象書類名】明細書
【補正対象項目名】００１９
【補正方法】変更
【補正の内容】
【００１９】
動作情報測定装置１０は、利用者の体に装着されて使用される。
【手続補正書】
【提出日】平成29年2月2日(2017.2.2)
【手続補正１】
【補正対象書類名】明細書
【補正対象項目名】００１３
【補正方法】変更
【補正の内容】
【００１３】
カルボキシビニルポリマーおよび粘度調節剤を包含し、外部からせん断力を与えて粘度調整されたゲル基剤を含む製剤の、所定の薬効を得るために必要とされる製剤の噴霧適合性（製剤粒度分布範囲、噴霧密度均一性、および噴射角度等）を実現することができる。
【手続補正２】
【補正対象書類名】明細書
【補正対象項目名】００２１
【補正方法】変更
【補正の内容】
【００２１】
なお、図２（ａ）に示すように、ノズル本体部２０の内壁２３には突起部２３ａを設け、充填ロッド３０の外壁３３には突起部２３ａを受容する凹部３３ａを設け、充填ロッド３０をノズル本体部２０の内部空間２４に挿入したとき、突起部２３ａと凹部３３ａとが嵌合して、確実に固定できるように構成することが好ましい。
【手続補正３】
【補正対象書類名】明細書
【補正対象項目名】００２５
【補正方法】変更
【補正の内容】
【００２５】
［製剤の鼻腔内への最適噴霧］
一般に、上記実施形態に係る点鼻用噴霧ノズル１０を備えた医療用シリンジ１を用いて、ＰＢＳ（リン酸緩衝生理食塩水）等の実質的な粘度を有さない流体を患者等の下鼻甲介付近に噴霧したとしても、噴霧製剤の滞留性がほとんどなく、噴霧後直ちに患者等の鼻孔から流出または下鼻道にたれ咽頭部へ流出してしまう。すなわち噴霧後、噴霧製剤を患者等の下鼻甲介付近に滞留させるためには、所定の粘度が必要である。また粘度を有する製剤は、一般に、噴霧ノズル内を通過することにより粘度が低下する傾向があり、所望の噴霧滞留性を担保するためには、噴霧前の粘度だけでなく、噴霧直後においても所定の粘度を確保する必要がある。
【手続補正４】
【補正対象書類名】明細書
【補正対象項目名】００４６
【補正方法】変更
【補正の内容】
【００４６】
上記点鼻用噴霧ノズル１０ａ〜１０ｋが装着された医療用シリンジ（定量シリンジ型噴出器）１に基剤Ａ，Ｂ１，Ｂ２，Ｃ１〜Ｃ３，Ｄ，Ｅ１〜Ｅ４（１１種類）を充填し、上記説明したａ）粘度／粘度保持率、ｂ）噴霧均質性（噴霧パターン）、ｃ）噴射角度、ならびにｄ）平均粒子径および製剤粒度分布について、以下の［表８］〜［表１０］に示す結果を得た。
【手続補正５】
【補正対象書類名】明細書
【補正対象項目名】００５２
【補正方法】変更
【補正の内容】
【００５２】
基剤Ｅは［表６］のとおり所定の粘度（たとえば２４００ｍＰａ・ｓまたは１０００ｍＰａ・ｓ）となるように、粘度調節剤(塩化ナトリウム)を加え、外部からせん断力を与えて調整したものであり、粘度保持率も高いので、鼻腔内での製剤滞留性が大きい。しかしながら、先端部２２のノズル噴出孔２１に湾曲部４６を設けた点鼻用噴霧ノズル１０ｃ，１０ｇを用いた場合、所望の噴霧特性が得られず、不適となる基剤Ｅが数多く確認された。また基剤Ｅ３，Ｅ４については、ノズル噴出孔２１の孔径が０．３０ｍｍで、先端部２２の厚みｄが０．１３〜０．２０ｍｍであるすべての点鼻用噴霧ノズル１０において所望の噴霧特性が得られた。
【手続補正６】
【補正対象書類名】図面
【補正対象項目名】図３
【補正方法】変更
【補正の内容】
【図３】
2016007409.tif 000001
【手続補正７】
【補正対象書類名】図面
【補正対象項目名】図８
【補正方法】変更
【補正の内容】
【図８】
2016007409.tif 000002
【手続補正８】
【補正対象書類名】図面
【補正対象項目名】図１５
【補正方法】変更
【補正の内容】
【図１５】
2016007409.tif 000003
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
可動することで物質を破壊する可動部と、気体が導入される気体導入室とを備え、前記物質を破壊する方向に前記可動部を可動させる動力、および、前記方向の反対方向へ前記可動部を可動させる動力の少なくともいずれかに、前記気体導入室に導入される圧縮気体が用いられる手術器具を駆動する手術装置であって、
前記気体導入室への圧縮気体の導入および導入の停止を切り換える電磁弁と、
圧縮気体発生源と前記電磁弁との間に設けられ、前記圧縮気体発生源から送られる圧縮気体を蓄える気体貯留部と、
前記圧縮気体発生源から前記気体貯留部に流入する圧縮気体の流量を制限する流量制限部と
を備えたことを特徴とする手術装置。
【請求項２】
請求項１に記載の手術装置であって、
前記流量制限部は、
前記気体貯留部から導入される圧縮気体によって前記可動部が可動範囲の可動開始位置から終端位置に可動している間の、前記圧縮気体発生源から前記気体貯留部へ流入する圧縮気体の流量を、前記気体貯留部から前記気体導入室へ導入される圧縮気体の流量よりも少なくすることを特徴とする手術装置。
【請求項３】
請求項１または２に記載の手術装置であって、
前記流量制限部は、前記圧縮気体発生源から前記気体貯留部に供給される圧縮気体の流量の制限量を変更できることを特徴とする手術装置。
【請求項４】
請求項３に記載の手術装置であって、
前記物質を破壊する方向への前記可動部の可動と、前記方向の反対方向への前記可動部の可動とを１つのサイクルとして、前記サイクルを繰り返すように前記電磁弁を制御する電磁弁制御手段と、
単位時間あたりに実行される前記サイクルの回数に基づいて、前記流量制限部による圧縮気体の流量の制限量を決定する第二決定手段と
をさらに備えたことを特徴とする手術装置。
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
被検体を配置する天板と、
Ｘ線を照射するＸ線発生部と、前記天板を挟んで前記Ｘ線発生部に対向配置され前記Ｘ線発生部から照射されたＸ線を検出するＸ線検出部と、を有するＸ線撮影系と、
前記Ｘ線撮影系を前記天板の表面に沿って移動させる支柱移動機構部と、
前記Ｘ線撮影系及び前記支柱移動機構部を用いて前記被検体が配置されていない状態で取得された前記天板のＸ線撮影画像と、予め撮影しておいた基準画像と、を用いて前記天板の表面の付着物の有無を判定し、判定結果を表示部に表示させる付着物判定部とを有することを特徴とするＸ線透視撮影装置。
【請求項２】
前記付着物判定部により前記天板の表面に付着物があると判定された場合、前記付着物があると判定された場所に前記支柱移動機構部を用いて前記Ｘ線撮影系を移動制御させることを特徴とする請求項１に記載のＸ線透視撮影装置。
【請求項３】
前記付着物判定部による判定を当該Ｘ線透視撮影装置の起動時に行うことを特徴とする請求項１又は２に記載のＸ線透視撮影装置。
【手続補正２】
【補正対象書類名】明細書
【補正対象項目名】０００６
【補正方法】変更
【補正の内容】
【０００６】
前記課題を解決するために、本発明のX線透視撮影装置は、被検体を配置する天板と、Ｘ線を照射するＸ線発生部と前記天板を挟んで前記Ｘ線発生部に対向配置され前記Ｘ線発生部から照射されたＸ線を検出するＸ線検出部とを有するＸ線撮影系と、X線撮影系を前記天板の表面に沿って移動させる支柱移動機構部と、X線撮影系及び前記支柱移動機構部を用いて被検体が配置されていない状態で取得された天板のX線撮影画像と、予め撮影しておいた基準画像と、を用いて天板の表面の付着物の有無を判定し、判定結果を表示部に表示させる付着物判定部とを有するよう構成される。
【手続補正３】
【補正対象書類名】明細書
【補正対象項目名】００１３
【補正方法】変更
【補正の内容】
【００１３】
X線検出部104は、例えば、X線を検出する複数の検出素子が二次元アレイ状に配置されて構成されており、X線発生部103から照射され、被検体101を透過したX線の入射量に応じたX線信号を検出する。また、X線検出部104は、支持枠108により支持されると共に、支持枠108内を移動するように構成され、X線発生部103から照射されるX線の方向に位置するように制御部117により制御されている。
【手続補正４】
【補正対象書類名】明細書
【補正対象項目名】００１５
【補正方法】変更
【補正の内容】
【００１５】
X線画像処理部113は、X線検出部104から入力されたX線信号を画像処理し、画像処理したX線画像を出力する。画像処理には、ガンマ変換、階調変換処理、画像の拡大・縮小等がある。
【手続補正５】
【補正対象書類名】明細書
【補正対象項目名】００２２
【補正方法】変更
【補正の内容】
【００２２】
画像解析部205は、判定画像保存部203にX線撮影画像が保存されると、これと比較するために予め基準画像保存部204に保存している基準画像を読み出し、取得されたX線撮影画像と、X線撮影画像が取得された位置に対応する基準画像と、の画素値の差分を算出し、算出された値が予め設定した閾値以上である場合に付着物有りとして判定する。
【手続補正６】
【補正対象書類名】明細書
【補正対象項目名】００２３
【補正方法】変更
【補正の内容】
【００２３】
基準画像は天板102の表面を十分に清掃し且つ被検体を配置しない状態で取得した天板102のX線撮影画像である。判定結果は解析結果通知部206に送られる。解析結果通知部206は、付着物があると画像解析部205により判定された場合、判定結果と共に付着物の位置に着色等を施した天板102の模擬画像を表示部114に表示させる。
【手続補正７】
【補正対象書類名】明細書
【補正対象項目名】００２６
【補正方法】変更
【補正の内容】
【００２６】
これにより、天板102表面の何処に付着物の有無を操作者は容易に特定することができる。
【手続補正８】
【補正対象書類名】図面
【補正対象項目名】図３
【補正方法】変更
【補正の内容】
【図３】
2016007461.tif 000001
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
基材上に規定した温度以上になると発色するマーキングを形成する方法において、
前記基材に顕色剤または発色剤を含む第１の部材を形成する第１の工程と、
前記第１の部材を被覆するバリア層を形成する第２の工程と、
前記バリア層に顕色剤または発色剤のうち前記第１の部材と異なる方を含む第２の部材を形成する第３の工程とを備え、
前記第１の工程または第３の工程の少なくとも片方は、
前記顕色剤または発色剤を含む液体を液滴化する工程と、
前記液体の液滴を前記基材またはバリア層に被着させる工程と、
を有し、
前記第２の工程および前記第３の工程は、摂氏１０℃以下の環境温度下で実行されることを特徴とするマーキング方法。
【請求項２】
前記発色剤として、酸性物質あるいは塩基性物質に触れることにより構造が変化し目視で発色する物質を用い、
前記発色剤を含む溶液を前記液体として用いることを特徴とする、
請求項１記載のマーキング方法。
【請求項３】
前記第２の工程および前記第３の工程は、摂氏０℃以下の環境温度下で実行されることを特徴とする、
請求項１記載のマーキング方法。
【請求項４】
インクを格納するインク容器と、前記インクの液滴を吐出するインクジェットヘッドと、前記インク容器から前記インクジェットヘッドに前記インクを供給するインク供給路を有し、前記インクの液滴により被印字物上に任意のパターンを形成するインクジェットプリンタであって、
前記インクの少なくとも一部を、摂氏１５℃未満の温度に保持するよう冷却可能な冷却装置を有し、
前記冷却装置は、前記インク容器及び前記インク供給路を冷却することを特徴とする、インクジェットプリンタ。
【請求項５】
前記インクの少なくとも一部を、摂氏０℃以下の温度に保持するよう冷却可能な冷却装置を有することを特徴とする、
請求項４記載のインクジェットプリンタ。
【請求項６】
前記冷却装置は、
冷媒を循環させる冷媒経路を備え、前記冷媒を圧縮、液化、減圧、気化させることにより冷却を行うことを特徴とする、
請求項４記載のインクジェットプリンタ。
【請求項７】
前記インクに圧力を印加するために前記インク供給路に設けられた供給ポンプを有し、
前記供給ポンプを冷却するポンプ冷却装置、および、前記供給ポンプを断熱するポンプ断熱部材の少なくとも一つを有する、
請求項４記載のインクジェットプリンタ。
【請求項８】
前記インク容器を内蔵する本体と、前記インクジェットヘッドとの間の少なくとも一部に断熱壁を有する、
請求項４記載のインクジェットプリンタ。
【請求項９】
基材に形成されるマーキングにおいて、
前記マーキングが前記基材の上に形成される顕色剤層、バリア層、発色剤層からなり、
前記バリア層は第１の温度では前記顕色剤層と発色剤層とを非接触に保ち、第２の温度では前記顕色剤層と発色剤層とを接触させる構成を有し、１０℃を超えると融解し、
前記顕色剤層および発色剤層のうち少なくとも一方は複数のドット形状で形成され、該複数のドットにより所定パターンが形成されており、
前記第２の温度で前記顕色剤層と発色剤層が接すると前記発色剤層が発色し、前記所定パターンを可視化することを特徴とするマーキング。
【請求項１０】
請求項９記載のマーキングにおいて、
前記基材の上に前記顕色剤層が形成されており、
前記顕色剤層の上に前記バリア層が形成されており、
前記バリア層の上に前記発色剤層が形成されており、
前記顕色剤層、バリア層、および発色剤層がカバー層によって覆われていることを特徴とするマーキング。
【請求項１１】
請求項９記載のマーキングにおいて、
前記顕色剤層が裏面に接着剤層を有し、表面に顕色剤からなる層を形成されたフィルムで形成されていることを特徴とするマーキング。
【請求項１２】
前記バリア層が炭素数10〜18の炭化水素を少なくとも一種含むことを特徴とする請求項９記載のマーキング。
【請求項１３】
前記発色剤層が酸性物質と接触すると発色する物質である場合、前記発色剤層に塩基性の高分子が混合されていることを特徴とする請求項９記載のマーキング。